(57)【要約】      （修正有）【課題】キャップ内部の温度をムラなく十分な温度に保つことができるパーマ及び毛染め用キャップを提供する。【解決手段】赤外線を透過する内側フィルム層２、赤外線反射層３、赤外線吸収層４及び赤外線を透過する外側フィルム層５が積層された断面構造のパーマ及び毛染め用キャップ１である。内側フィルム層２は、厚さ約２０μｍの無延伸ポリプロピレンフィルムよりなり、赤外線反射層３は、アルミ蒸着層であり、赤外線吸収層４は、黒色インク層であり、外側フィルム層５は、厚さ約２５μｍのポリエチレンフィルムよりなる。【選択図】図２
0003200587.tif 000002
【実用新案登録請求の範囲】
【請求項１】
パーマ及び毛染め用キャップであって、
少なくとも赤外線を反射する赤外線反射層と、
該反射層の外面側に赤外線を吸収する赤外線吸収層を有している
ことを特徴とするパーマ及び毛染め用キャップ。
【請求項２】
前記赤外線反射層は、少なくとも赤外線を透過する内側フィルム層の外面に設けてある
ことを特徴とする請求項１記載のパーマ及び毛染め用キャップ。
【請求項３】
前記赤外線吸収層は、少なくとも赤外線を透過する外側フィルム層の内面に設けてあるか、赤外線吸収材を含有させた素材で形成された外側フィルム層である
ことを特徴とする請求項１又は２記載のパーマ及び毛染め用キャップ。
【考案の詳細な説明】
【技術分野】
【０００１】
本考案は、パーマ液を塗布した髪をロッドに巻き付け、又は毛染め液を髪に塗布して熱を加える際に図１に示すように客の頭部にかぶせるパーマ及び毛染め用キャップに関する。
【背景技術】
【０００２】
従来、パーマ及び毛染め用キャップとしては、本体部の外側にアルミ蒸着層を形成して保温効果を持たせたものや、本体部を透明なものとして頭部の周囲から赤外線を照射することにより加温するもの等を用いていた。
しかし、本体部の外側にアルミ蒸着層を形成したパーマ及び毛染め用キャップは、髪をムラなく熱することができるものの、外側から赤外線を照射してもアルミ蒸着層で反射されるため、キャップの内部を加温することが困難であった。
また、本体部を透明なものとしたパーマ及び毛染め用キャップは、赤外線を照射することができるのでキャップ内部を加温し易いものの、赤外線が髪に直接照射されるため、加温される部分が巻き付けた髪の表面に集中し、温度ムラが発生し易いという問題があった。
【０００３】
これらの問題点を解決するため、特許文献１（特開２００７−６１５７６号公報）には、ビニールキャップの素材に天然鉱石の粉末と炭素の粉末を混入し、外部からの遠赤外線照射によって蓄熱、発熱し、パーマ薬剤の効果を促進するパーマネントウェーブ用ビニールキャップが提案されている。（特に、請求項３及び図１を参照。）
しかし、特許文献１のパーマネントウェーブ用ビニールキャップは、アルミ蒸着層等のキャップ内部の熱を逃げにくくして保温する能力が低いため、髪をムラなく十分な温度に保つことができないという問題があった。
【先行技術文献】
【特許文献】
【０００４】
【特許文献１】特開２００７−６１５７６号公報
【考案の概要】
【考案が解決しようとする課題】
【０００５】
本考案の課題は、従来のパーマ及び毛染め用キャップの問題点を解決し、内部の温度をムラなく十分な温度に保つことができるようにすることである。
【課題を解決するための手段】
【０００６】
請求項１に係る考案のパーマ及び毛染め用キャップは、少なくとも赤外線を反射する赤外線反射層と、該反射層の外面側に赤外線を吸収する赤外線吸収層を有していることを特徴とする。
【０００７】
請求項２に係る考案のパーマ及び毛染め用キャップは、請求項１記載のパーマ及び毛染め用キャップにおいて、前記赤外線反射層は、少なくとも赤外線を透過する内側フィルム層の外面に設けてあることを特徴とする。
【０００８】
請求項３に係る考案のパーマ及び毛染め用キャップは、請求項１又は２記載のパーマ及び毛染め用キャップにおいて、前記赤外線吸収層は、少なくとも赤外線を透過する外側フィルム層の内面に設けてあるか、赤外線吸収材を含有させた素材で形成された外側フィルム層であることを特徴とする。
【考案の効果】
【０００９】
請求項１に係る考案によれば、赤外線反射層の外面側に赤外線吸収層を有しているので、パーマ及び毛染め用キャップを客の頭部にかぶせた後、キャップの周囲から赤外線を照射することにより、赤外線吸収層が加熱され、その熱が赤外線反射層に伝導してキャップ内部を加温するとともに、キャップ内部においては赤外線が閉じ込められて保温される。
そのため、赤外線が髪に直接照射されることなく赤外線から得られた熱をキャップ内部に伝導できるので、パーマ及び毛染め用キャップ内部の温度をムラなく十分な温度に保つことができるので、状態の良いパーマや毛染めを短時間で仕上げることができる。
【００１０】
請求項２に係る考案によれば、請求項１に係る考案による効果に加えて、赤外線反射層は、少なくとも赤外線を透過する内側フィルム層の外面に設けてある。
すなわち、赤外線反射層の内面側には少なくとも赤外線を透過する内側フィルム層があり、外面側には赤外線吸収層があるので、本考案のパーマ及び毛染め用キャップにおいて重要な構成である赤外線反射層の内面側及び外面側のいずれもが保護されていることとなる。
そのため、赤外線反射層の耐久性が向上し、パーマ及び毛染め用キャップの性能を長い期間にわたって保つことができる。
【００１１】
請求項３に係る考案によれば、請求項１又は２に係る考案による効果に加えて、赤外線吸収層は、少なくとも赤外線を透過する外側フィルム層の内面に設けてあるか、赤外線吸収材を含有させた素材で形成された外側フィルム層である。
すなわち、赤外線吸収層を少なくとも赤外線を透過する外側フィルム層の内面に設けてある場合、赤外線吸収層の内面側には赤外線反射層があり、外面には少なくとも赤外線を透過する外側フィルム層があるので、本考案のパーマ及び毛染め用キャップにおいて重要な構成である赤外線吸収層の内面側及び外面側のいずれもが保護されていることとなる。
そのため、赤外線吸収層の耐久性が向上し、パーマ及び毛染め用キャップの性能を長い期間にわたって保つことができる。
また、赤外線吸収層が赤外線吸収材を含有させた素材で形成された外側フィルム層である場合、アルミ蒸着層を形成した従来のパーマ及び毛染め用キャップ（ＮＥＷミラージュ）におけるフィルム層に赤外線吸収材を含有させるだけで済むため、従来とほぼ同じ工程によって本考案のパーマ及び毛染め用キャップを製造することができる。
【図面の簡単な説明】
【００１２】
【図１】パーマ及び毛染め用キャップを客の頭部にかぶせた状態を示す図。
【図２】実施例のパーマ及び毛染め用キャップの断面を拡大した図。
【図３】各種のパーマ及び毛染め用キャップを用いた場合における温度変化を示すグラフ。
【考案を実施するための形態】
【００１３】
以下、実施例によって本考案の実施形態を説明する。
【実施例】
【００１４】
図２は実施例のパーマ及び毛染め用キャップ１の断面を拡大した図であり、図２の下側（キャップ内面側）から、少なくとも赤外線を透過する内側フィルム層２、赤外線反射層３、赤外線吸収層４及び少なくとも赤外線を透過する外側フィルム層５が積層された構造となっている。
そして、内側フィルム層２は、厚さ約２０μｍの無延伸ポリプロピレンフィルム（ＣＰＰ）よりなっており、赤外線反射層３は、ＣＰＰの表面に形成されたアルミ蒸着層である。
また、赤外線吸収層４は、アルミ蒸着層の表面に塗布された黒色インク層であり、外側フィルム層５は、厚さ約２５μｍのポリエチレンフィルム（ＰＥ）よりなっている。
【００１５】
実施例のパーマ及び毛染め用キャップ１を製造する工程は以下のとおりである。
（１）ＣＰＰの表面にアルミ蒸着層を形成する。
（２）アルミ蒸着層の表面に黒色インク層を塗布する。
（３）黒色インク層の表面にＰＥ層を形成する。
（４）４層よりなるフィルムから直径約７０ｃｍの円形フィルムを切り出す。
（５）円形フィルムの外周部に、幅２ｃｍ程度、長さ２２０ｃｍ程度の帯状の布を２つ折りにして縫い付け、外周部の周りにゴム紐を挿入できる穴を形成する。
（６）帯状の布の一端部から長さ約６０ｃｍ（伸びきった時の長さ約１５０ｃｍ）のゴム紐を挿入し、帯状の布の他端部まで通す。
（７）ゴム紐の一端部と他端部を接続固定する。
（８）ＰＥ側が外側となるようにして円形フィルムをキャップ状とし、袋詰めする場合には平面状としたり、折り畳んだりする。
【００１６】
完成したパーマ及び毛染め用キャップ１は、パーマ液を塗布した髪をロッドに巻き付けてセットし、又は髪に毛染め液を塗布した後、パーマ液や毛染め液が額まわりや首筋等に滴下するのを防止するために、パーマ用ターバン６等を客の頭部に装着した後、パーマ及び毛染め用キャップ１のゴム紐を挿入した部分７をパーマ用ターバン６の上縁部に沿ってかぶせる。
そして、実施例のパーマ及び毛染め用キャップ１の形状自体は、従来のパーマ及び毛染め用キャップと大差ないので、実施例のパーマ及び毛染め用キャップ１をかぶせた状態を示す図１は、従来のパーマ及び毛染め用キャップをかぶせた状態とほぼ同じとなる。
【００１７】
実施例のパーマ及び毛染め用キャップ１（ブラックミラージュ）と、透明なパーマ及び毛染め用キャップ（透明キャップ）と、アルミ蒸着層を形成して保温効果を持たせたパーマ及び毛染め用キャップ（ＮＥＷミラージュ）について、各パーマ及び毛染め用キャップをかぶせ開始時の髪付近の温度を２８．１℃の同一条件とした上で周囲から赤外線を照射し、５分、１０分及び１５分経過後にパーマ及び毛染め用キャップ内部における髪付近の温度を計測した結果を表１及び図３のグラフに示す。
【表１】
0003200587.tif 000003
【００１８】
表１から分かるように、赤外線吸収層４を有していないＮＥＷミラージュは、アルミ蒸着層で赤外線が反射されるため、温度が上がりにくく５分経過後は３５．５℃の温度が維持される結果となった。
これに対して、ブラックミラージュでは赤外線が吸収され、透明キャップでは赤外線が透過するため、温度が上がりやすく５分経過後はブラックミラージュで４１．１℃の温度が維持され、透明キャップで４０．１℃程度の温度が維持される結果となった。
なお、ブラックミラージュと透明キャップで生じる温度差は、アルミ蒸着層による赤外線閉じ込め効果によるものと考えられる。
【００１９】
また、透明キャップでは赤外線が透過して髪に直接照射され、ロッドに巻き付けた髪の表面が集中的に加温されるため、温度ムラが発生してパーマや毛染めの仕上がりが悪くなる現象がみられたが、ブラックミラージュでは透明キャップをかぶせた場合にみられた現象は発生せず、パーマや毛染めの仕上がりが良くなることも確認された。
【００２０】
実施例の変形例を列記する。
（１）実施例のパーマ及び毛染め用キャップ１は、アルミ蒸着層を赤外線反射層としたが、赤外線反射層としてはアルミ蒸着層に限らず、銀や銅等の金属を蒸着した層、各種金属や金属酸化物の薄膜層等、どのような層を用いても良い。
（２）実施例のパーマ及び毛染め用キャップ１は、黒色インク層を赤外線吸収層としたが、赤外線吸収層としては黒色インク層に限らず、カーボンブラックや臭化銀等の光吸収性微粒子を含む材料の蒸着層や塗布層等、どのような層を用いても良い。
（３）実施例のパーマ及び毛染め用キャップ１は、赤外線反射層３を内側フィルム層２の外面側に形成したが、内面側に形成しても良い。
ただし、そうした場合、赤外線反射層３の内面に保護膜を形成した方が良い。
（４）実施例のパーマ及び毛染め用キャップ１は、赤外線吸収層４を外側フィルム層５の内面側に形成したが、外面側に形成しても良い。
ただし、そうした場合、赤外線吸収層４の外面に保護膜を形成した方が良い。
また、外側フィルム層自体が赤外線吸収材を含有させた素材で形成されていても良い。
（５）実施例のパーマ及び毛染め用キャップ１は、内側フィルム層２の厚さを約２０μｍ、外側フィルム層５の厚さを約２５μｍとしたが、これらの厚さは強度や各種の性能を考慮して適宜選択すれば良い。
（６）実施例のパーマ及び毛染め用キャップ１の製造においては、直径約７０ｃｍの円形フィルムを切り出したが、円形フィルムの大きさは顧客の要望等に合わせて適宜大きくしたり小さくしたりしても良い。
（７）実施例のパーマ及び毛染め用キャップ１は、円形フィルムの外周部に帯状の布を２つ折りにして縫い付け、外周部の周りにゴム紐を挿入して固定したが、ゴム紐に代えて適宜の弾性体を用いても良く、円形フィルムの外周部に平らな弾性体を延ばした状態で直接縫い付ける等して固定しても良い。
【符号の説明】
【００２１】
１  パーマ及び毛染め用キャップ      ２  内側フィルム層      ３  赤外線反射層
４  赤外線吸収層      ５  外側フィルム層      ６  パーマ用ターバン
７  ゴム紐を挿入した部分
【図１】
0003200587.tif 000004
【図２】
0003200587.tif 000005
【図３】
0003200587.tif 000006